(57)【特許請求の範囲】
【請求項１】
車載装置にＰＯＩ情報を含むコンテンツ情報を配信するセンタでコンテンツ情報の検索を行うことが可能な車載装置において、
前記ＰＯＩ情報のバージョン情報をセンタに送信する送信手段と、
前記送信手段により送信された前記バージョン情報に対応する各ＰＯＩジャンルについて、前記車載装置がセンタにおいてコンテンツ情報のＰＯＩ情報検索を行うことが可能であるか否かを示すＰＯＩ検索可否情報を、センタから受信する受信手段と、
ユーザによる検索するＰＯＩジャンルの選択が行われる際に、当該選択が行われるＰＯＩジャンルが、前記受信手段により受信された前記ＰＯＩ検索可否情報に基づいて、センタにおいてコンテンツ情報のＰＯＩ情報検索を行うことが可能と判断されたＰＯＩジャンルであるかを表示する表示部と、を有し、
前記送信手段は、ユーザによって選択されたＰＯＩジャンルが、センタにおいてコンテンツ情報のＰＯＩ情報検索を行うことが可能でないと判断された場合には、センタへのＰＯＩ情報検索の要求を行わないことを特徴とする車載装置。
【請求項２】
ユーザによって選択されたＰＯＩジャンルが、センタにおいてコンテンツ情報のＰＯＩ情報検索を行うことが可能でないと判断された場合に、車載装置に記憶されたコンテンツ情報から、前記ジャンル固有情報に応じたコンテンツ情報の検索を行う車載内検索手段を有し、
前記送信手段は、ユーザによって選択されたＰＯＩジャンルが、前記ＰＯＩ検索可否情報に基づいて、センタでコンテンツのＰＯＩ情報検索を行うことが可能と判断されたＰＯＩジャンルである場合に、ユーザによって選択されたＰＯＩジャンルのジャンル固有情報をセンタに送信し、
前記受信手段は、前記ジャンル固有情報に応じたコンテンツ情報の検索結果をセンタから受信し、
前記表示部は、前記車載内検索手段の検索結果、もしくは、前記受信手段により受信された検索結果を表示する、
請求項１に記載の車載装置。
【請求項３】
車載装置にＰＯＩ情報を含むコンテンツ情報を配信するセンタでコンテンツ情報の検索を行うことが可能な車載装置における検索方法であって、
前記ＰＯＩ情報のバージョン情報をセンタに送信する送信ステップと、
前記送信ステップにおいて送信された前記バージョン情報に対応する各ＰＯＩジャンルについて、前記車載装置がセンタにおいてコンテンツ情報のＰＯＩ情報検索を行うことが可能であるか否かを示すＰＯＩ検索可否情報を、センタから受信する受信ステップと、
ユーザによる検索するＰＯＩジャンルの選択が行われる際に、当該選択が行われるＰＯＩジャンルが、前記受信ステップにおいて受信された前記ＰＯＩ検索可否情報に基づいて、センタにおいてコンテンツ情報のＰＯＩ情報検索を行うことが可能と判断されたＰＯＩジャンルであるかを表示する表示ステップと、を有し、
前記送信ステップは、前記ＰＯＩ検索可否情報において、センタでコンテンツのＰＯＩ情報検索を行うことが可能と判断されたコンテンツ情報のジャンル固有情報をセンタに送信し、
前記受信ステップは、前記ジャンル固有情報に応じたコンテンツ情報の検索結果をセンタから受信し、
前記表示ステップは、前記車載内検索手段の検索結果、もしくは、前記受信ステップにより受信された検索結果を表示し、
前記送信ステップは、ユーザによって選択されたＰＯＩジャンルが、センタにおいてコンテンツ情報のＰＯＩ情報検索を行うことが可能でないと判断された場合には、センタへのＰＯＩ情報検索の要求を行わないことを特徴とする車載装置における検索方法。
【発明の詳細な説明】
【技術分野】
【０００１】
本発明は、車載装置及び車載装置における検索方法に関し、特に車載装置におけるＰＯＩ（point of interest）コンテンツの検索方法に関するものである。
【背景技術】
【０００２】
インターネット利用者に対して、利用者の趣味や検索履歴から利用者に最も適したジャンルの情報を提供することができるインターネット情報の検索支援装置が知られている（例えば、特許文献１）。
【０００３】
例えば、新しい旬な情報を車載装置で取得しようとする場合、通常は旬な情報に関係するＰＯＩ情報は、センタで準備されるが、その旬な情報が準備されていることをユーザが知らずにいる場合、また、旬な情報が準備されていることをユーザに通知したとしても、車載装置とセンタのＰＯＩ情報のデータベースのバージョンが異なるために、センタに問い合わせたにも拘らず、旬な情報に関係するＰＯＩ情報が得られない場合がある。そのような場合には、車載装置からセンタへの問い合わせは単なる通信費用の浪費となってしまう。また、無意味な通信によって、通信が混乱する恐れもある。
【０００４】
また、ユーザの好みや嗜好は、市場動向や世の中の移り変わりに応じて様々に変化するため、予め設定されたＰＯＩジャンルを用いて検索を行っても、その時点でユーザが取得したいと思うコンテンツをヒットすることができないという問題があった。即ち、検索するために予め設定されているＰＯＩジャンルがユーザの感覚と乖離している場合があった。
【先行技術文献】
【特許文献】
【０００５】
【特許文献１】特開２００１−３５７０５０号公報
【発明の概要】
【発明が解決しようとする課題】
【０００６】
本発明は、車載装置がセンタに準備されている旬な情報に関連するＰＯＩ情報を検索するにあたって、検索可能な情報（ＰＯＩ情報）をユーザに提示するので、無駄なくセンタへ検索の問い合わせを行うことが可能な車載装置及び車載装置における検索方法を提供することを目的とする。
【課題を解決するための手段】
【０００７】
本発明に係る車載装置にＰＯＩ情報を含むコンテンツ情報を配信するセンタでコンテンツ情報の検索を行うことが可能な車載装置は、ＰＯＩ情報のバージョン情報をセンタに送信する送信手段と、送信手段により送信されたバージョン情報に対応する、車載装置がセンタにおいてコンテンツ情報のＰＯＩ情報検索を行うことが可能であるか否かを示すＰＯＩ検索可否情報を、センタから受信する受信手段と、受信手段により受信されたＰＯＩ検索可否情報において、センタにおいてコンテンツ情報のＰＯＩ情報検索を行うことが可能と判断されたコンテンツ情報を表示する表示部を有することを特徴とする。
【０００８】
また、本発明に係る車載装置にＰＯＩ情報を含むコンテンツ情報を配信するセンタでコンテンツ情報の検索を行うことが可能な車載装置における検索方法は、ＰＯＩ情報のバージョン情報をセンタに送信する送信ステップと、送信ステップにおいて送信されたバージョン情報に対応する、車載装置がセンタにおいてコンテンツ情報のＰＯＩ情報検索を行うことが可能であるか否かを示すＰＯＩ検索可否情報を、センタから受信する受信ステップと、受信ステップにおいて受信されたＰＯＩ検索可否情報において、センタにおいてコンテンツ情報のＰＯＩ情報検索を行うことが可能と判断されたコンテンツ情報を表示する表示ステップを有し、送信ステップは、ＰＯＩ検索可否情報において、センタでコンテンツのＰＯＩ情報検索を行うことが可能と判断されたコンテンツ情報のジャンル固有情報をセンタに送信し、受信ステップは、ジャンル固有情報に応じたコンテンツ情報の検索結果をセンタから受信し、表示ステップは、受信ステップにより受信された検索結果を表示する、ことを特徴とする。
【発明の効果】
【０００９】
本発明によれば、センタ側で作成されたＰＯＩジャンルに対応したコンテンツ情報が検索できるか否かを示すテーブルを車載装置側で有しているので、検索できない又は同じであるのに拘らず、センタに問い合わせを行うことを防止することが可能となる。
【００１０】
また、本発明によれば、旬なＰＯＩジャンルに関するコンテンツ情報をセンタから取得することができるので、検索可能なコンテンツ情報が固定されて、ユーザの感覚と乖離してしまうのを防止することが可能となる。
【００１１】
さらに、本発明によれば、ＰＯＩジャンルの検索をＨＭＩ（Human Machine Interface）を用いて行うことができるので、簡単且つ容易に検索を行うことが可能となる。
【図面の簡単な説明】
【００１２】
【図１】検索方法を実施するための全体システム概略構成図である。
【図２】車載装置とセンタにおける処理フローの一例を示す図である。
【図３】車載装置１００の表示部１０３に表示されるＰＯＩジャンル検索画面例（１）を示す図である。
【図４】ジャンル検索テーブルの一例を示す図である。
【図５】コンテンツ検索テーブルの一例を示す図である。
【図６】車載装置１００の表示部１０３に表示されるＰＯＩジャンル検索画面例（２）を示す図である。
【発明を実施するための形態】
【００１３】
以下、本発明に係る車載装置及び車載装置における検索方法を図面を参照して詳細に説明する。なお、本発明の技術的範囲はこれらの実施の形態に限定されず、特許請求の範囲に記載された発明とその均等物に及ぶ。また、本発明の趣旨を逸脱しない範囲において種々の変更を付加した形態で実施することも可能である。
【００１４】
図１は、検索方法を実施するための全体システム概略構成図である。
【００１５】
車載装置１００は車両（図示せず）に搭載された機器であって、インターネット接続プロバイダ２００を介してインターネット４００に接続することができ、Ｗｅｂ上のセンタ５００にアクセク可能に構成されている。また、センタ５００は、複数のコンテンツプロバイダ３００から入手したコンテンツ情報（ＰＯＩ情報）をコンテンツ情報記録部５０４に記録し、車載装置１００に対して提供できるように構成されている。
【００１６】
車載装置１００は、制御部１０１、操作ボタン、タッチパネル及び／又はリモコン等を含む操作部１０２、薄型液晶ディスプレイ等によって構成される表示部１０３、インターネット接続プロバイダ２００を介してインターネットに接続してセンタ５００との間でデータの送受信を行うための送受信部１０４、スピーカ等から構成される音声出力部１０５、マイク等から構成される音声入力部１０６、ＶＩＣＳ（Vehicle Information and Communication System）情報受信部１０７、ＧＰＳ情報受信部１０８、ジャイロセンサ１０９、車速パルス受信部１１０、車両のシートに配置されて乗員がシートに着座しているか否かを検出するシートセンサ１１１、車両に備えられたエンジン始動用のキーシリンダと電気的に一体に構成されているアクセサリスイッチ（ＡＣＣスイッチ）１１２、ナビゲーションの為等に利用される地図情報を記録するためのハードディスク、ＤＶＤ又はＣＤ等の記録媒体から構成される地図情報記憶部１２０、コンテンツ情報（ＰＯＩ情報）を記録するためのハードディスク等の記録媒体から構成されるコンテンツ情報記録部１３０等から構成されている。
【００１７】
制御部１０１は、ＣＰＵ、ＲＡＭ、ＲＯＭ、Ｉ／Ｏ、バス等から構成され、予め記憶されたプログラムに従い、ユーザによる操作部１０２の操作によって、コンテンツ情報記録部１３０に記録されているコンテンツ情報に基づいてＰＯＩジャンルの検索、及び／又はセンタへのＰＯＩジャンルの検索の問い合わせ等を行い、ユーザが好みに応じた検索結果を表示部１０３に表示する。
【００１８】
また、制御部１０１は、予め記憶されたプログラムに従い、地図情報記憶部１２０に記憶された地図情報、ＶＩＣＳ情報受信部１０７が受信した渋滞情報、交通規制情報及び気象情報等を含む車両の走行に関連する走行関連情報、ＧＰＳ情報受信部１０８が受信した車両の現在位置情報及び現在日時情報、ジャイロセンサ１０９から取得した車両の進行方向情報、及び車速パルス受信部１１０が受信した車速パルス等を用い、操作部１０２、表示部１０３、音声出力部１０５及び音声入力部１０６を利用してナビゲーション動作を行う。
【００１９】
インターネット接続プロバイダ２００は、複数の基地局２０１と接続された移動通信網２０２を有しており、移動通信網２０２と接続されたゲートウエイ２０３を介してインターネットへの接続サービスを提供する。
【００２０】
コンテンツプロバイダ３００は、インターネット４００のＷｅｂ上に接続可能に配置されており、各々がＰＯＩ情報に関連する様々なコンテンツを提供し、センタ５００によってその内容が検索可能に構成されている。
【００２１】
センタ（又はセンタサーバ）５００は、管理部５０１、インターネット４００と接続するためのルータ５０２、ユーザプロファイル情報を記録するためのユーザプロファイル情報記録部５０３、コンテンツ情報を記録するためのコンテンツ情報記録部５０４、コンテンツ選択履歴情報を記録するためのコンテンツ選択履歴記録部５０５を有し、それぞれがＬＡＮ５０７により相互にテータの送受信を行えるように構成されている。
【００２２】
管理部５０１は、パーソナルコンピュータ等より構成され、ＣＰＵ，ＲＡＭ、ＲＯＭ、キーボード及びマウス等を含む操作部、液晶ディスプレイ等を含む表示部、ハードディスク等のデータ記録部等を含んで構成されている。管理部５０１は、所定のタイミングで、インターネット４００を介して複数のコンテンツプロバイダ３００のＷｅｂサイトにアクセスして、コンテンツの検索を行い、予め決められたジャンルに関する検索結果を取得し、ジャンル別にコンテンツ情報記録部５０４に蓄積していく。
【００２３】
以下、図２〜５を用いて、車載装置１００におけるコンテンツ情報のＰＯＩ情報検索について説明する。
【００２４】
図２は、車載装置とセンタにおける処理フローの一例を示す図である。また、図３は、車載装置１００の表示部１０３に表示されるＰＯＩジャンル検索画面例の移り替りを示す図である。さらに、図４はジャンル検索テーブルの一例を示す図であり、図５はコンテンツ検索テーブルの一例を示す図である。
【００２５】
図２に示す処理フローは、車載装置１００側では制御部１０１が予め記録されたプログラムに従って車載装置１００に含まれる各要素と協働して実行し、センタ５００側では管理部５０１が予め記録されたプログラムに従ってセンタ５００に含まれる各要素と協働して実行するものとする。また、図２に示す処理フローが実行される際には、車載装置１００側では不図示の電源から車載装置１００の各要素に対して適切な電力が供給され動作可能な状態となっており、センタ５００側においても不図示の電源からセンタ５００の各要素に対して適切な電力が供給され動作可能な状態となっているものとする。
【００２６】
また、車載装置１００のコンテンツ情報記録部１３０には、ＰＯＩジャンルとＰＯＩジャンルのバージョン情報、及びＰＯＩジャンルに応じたコンテンツ情報が予め記録されている。
【００２７】
ＰＯＩジャンルとは、ＰＯＩ情報の検索を行うためのジャンルに関するデータを言い、例えば、図３の表示画面例１０に示されている検索項目であるジャンル、即ち「食べる・飲む」、「買う・借りる」、「泊まる」、「見る・遊ぶ」及び「公共施設」等と、それらのジャンルの並び順に関するデータである。また、ＰＯＩジャンルのバージョン情報とは、上記のジャンルとその並び順が、例えば、施設や店舗の新規開店や閉店等に応じて年々更新されていくことから、何時更新したバージョンであるかを示す情報を言う。平成２０年度における更新バージョンに対しては、例えば、「Ｈ２０」というＰＯＩジャンルのバージョン情報を対応させることができる。さらに、コンテンツ情報記録部１３０には、各ジャンルに対応するＰＯＩ情報が多数記録されている。なお、ＰＯＩ情報とは、位置情報（緯度、経度情報等）と、その位置情報に関連する施設及び店舗情報等と定義でき、店舗名称及び電話番号等を含めても良い。
【００２８】
最初に車載装置１００の制御部１０１は、送受信部１０４を制御してセンタ５００への通信プロトコルを開始し、車載装置１００が現在有しているＰＯＩジャンルのバージョン情報をセンタへ送信する（Ｓ１０）。
【００２９】
センタ５００側の管理部５０１では、車載装置１００からＰＯＩジャンルのバージョン情報を取得すると（Ｓ３０）、そのバージョンに対応したジャンル検索テーブルを車載装置１００へ送信する（Ｓ３１）。なお、Ｓ３０で取得したＰＯＩジャンルのバージョン情報は、ユーザプロファイル情報記録部５０３に受信した車載装置１００のＩＤ等とリンクさせて記録される。
【００３０】
ジャンル検索テーブルとは、車載装置１００のＰＯＩジャンル検索用のＨＭＩを用いて、センタ５００でのジャンル検索が行えるか否かを示すＰＯＩ検索可否情報を示している。ジャンル検索テーブルは、図４に示すように、車載装置１００側が予め記録している各ＰＯＩジャンル（図３の表示画面１０参照）に対して、センタ５００側が新たな更新情報を有しているか否かに関するセンタ情報を含んでいる。図４の例では、「食べる・飲む」に関しては、新しい更新データをセンタ５００側が有しているが、他のジャンルに関しては、新しい更新データをセンタ５００側が有していない。即ち、車載装置１００のユーザが「食べる・飲む」のジャンルに関してコンテンツ情報のＰＯＩ情報検索を行いたい場合には、センタ５００側に問い合わせを行う価値があるが、他のジャンルに関する情報は既に車載装置１００側のコンテンツ情報記録部１３０に記録されていることから、センタ５００側に問い合わせを行う価値が無いと判断することができる。なお、図４では、センタ５００側に問い合わせを行う価値があるものと無いものを両方出力するようにしているが、問い合わせを行う価値があるものだけを出力するようにしても良い。
【００３１】
次に、車載装置１００側の制御部１０１は、ジャンル検索テーブルを取得し（Ｓ１１）、取得したジャンル検索テーブルをコンテンツ情報記録部１３０に記録する。
【００３２】
次に、制御部１０１は、ユーザによって決定された検索ジャンルを取得する（Ｓ１２）。例えば、ユーザによる検索ジャンルの決定は、表示部１０３の表示画面において、リモコン等によってカーソル１１を移動させ、「決定」キー１２を選択することによって行うことができる（図３の表示画面例１０参照）。
【００３３】
次に、制御部１０１は、Ｓ１１で取得したジャンル検索テーブルを参照し（Ｓ１３）、Ｓ１２で取得したジャンルについてセンタ５００に対して問い合わせする価値があるか否かの判断を行う（Ｓ１４）。例えば、図３の表示画面例１０において、「食べる・飲む」が選択された場合には、図４に示すジャンル検索テーブルで、「食べる・飲む」は「センタ情報有り（１）」となっているので、センタ５００への問い合わせ可能と判断される。そして、車載装置１００からセンタ５００で検索可能なジャンルと上述した「センタ情報有り（１）」といった補足情報を併記することで、ユーザに車載装置１００からセンタ５００でのコンテンツ情報のＰＯＩ情報検索が可能であることを知らせることができる。
【００３４】
Ｓ１４において、センタ５００への問い合わせが可能と判断された場合には、制御部１０１は、問い合わせを行うジャンルのジャンルＩＤ（ジャンル固有情報）をセンタ５００へ送信する（Ｓ１５）。ジャンルのジャンルＩＤは、Ｓ１１で取得したジャンル検索テーブル（図４参照）により予め決定されており、例えば、「食べる・飲む」のＩＤは「１」である。
【００３５】
センタ５００の管理部５０１は、ジャンルＩＤを取得すると（Ｓ３２）、ジャンルＩＤに応じたコンテンツの検索結果をコンテンツ情報記録部５０４から取得する（Ｓ３３）。
【００３６】
センタ５００は、予め各ジャンルについて、インターネット４００を介してアクセス可能なコンテンツサーバ３００が提供するコンテンツの中から検索を行い、検索結果をコンテンツ情報記録部５０４に蓄積している。
【００３７】
センタ５００における検索は、コンテンツ情報記録部５０４に予め記録されているコンテンツ検索テーブル（図５参照）に設定されている検索キーワードを用いて、所定のタイミングで繰り返し実行される。例えば、ジャンルＩＤ＝１に対応する「食べる・飲む」については、それ以外に、「美味しい店」等の検索に役立つ旬で新しい検索キーワードが予め設定されている。旬で新しい検索キーワード選択することによって、より流行にあったコンテンツ情報を抽出することが可能となる。センタ５００の管理部５０１は、ＰＯＩジャンルのバージョン情報に応じて、車載装置１００側にその時点で記録されているコンテンツ情報を把握しているので、新たなジャンルのコンテンツ情報が取得可能になれば、ＰＯＩジャンルのバージョン情報に対応したジャンル検索テーブルを書き換える。
【００３８】
次に、管理部５０１は、Ｓ３３で取得した検索結果を、コンテンツ選択履歴記録部５０５に記録されているコンテンツ選択履歴情報に応じて並び替え（Ｓ３４）、並び変えた検索結果を車載装置１００へ送信する（Ｓ３５）。例えば、検索結果は、図３の表示画面例２０のように表示される。検索結果は、「ファミリーレストラン」、「ファーストフード」、「うどん・そば」、「寿司」、「ラーメン」等の複数の細項目及びそれらに含まれるコンテンツ情報（ＰＯＩ情報）を含んでいる。細項目の並び順は、後述するコンテンツ選択履歴情報に応じて決定される。
【００３９】
車載装置１００の制御部１０１は、検索結果をセンタ５００より取得（Ｓ１６）し、その内容をコンテンツ情報記録部１３０に記録する。
【００４０】
次に、制御部１０１は、Ｓ１６で取得した検索結果（図３の画面表示例２０参照）を表示部１０３に表示する（Ｓ１７）。
【００４１】
次に、制御部１０１は、ユーザによって決定された細項目を取得し、細項目に応じたＰＯＩ情報を表示部１０３に表示する。例えば、ユーザによる細項目の決定は、表示部１０３の表示画面において、リモコン等によってカーソル２１を移動させ、「決定」キー２２を選択することによって行うことができる（図３の表示画面例２０参照）。また、細項目に応じたＰＯＩ情報を表示部１０３に表示する（図３の表示画面例３０参照）。さらに、表示されたＰＯＩ情報の詳細情報（店舗名称、電話番号、位置情報等）を表示部１０３に表示させることもできる。例えば、ユーザによるＰＯＩ情報の決定は、表示部１０３の表示画面において、リモコン等によってカーソル３１を移動させ、「詳細情報」キー３２を選択することによって行うことができる（図３の表示画面例３０参照）。なお、図３の例では、細項目は表示画面例２０のみとしたが、さらに複数階層の細項目表示画面を設定しても良い。
【００４２】
なお、図３の表示画面側３０のＰＯＩ情報３３には、「ＮＥＷ！！」のマークを付し、センタ５００から新しく取得した情報であることを示し、ＰＯＩ情報３４には、何も特別なマークを付けず、車載装置１００側に既に記録されていた情報であることを示している。この様にＰＯＩ情報を表示する際には、出典元や更新日時の情報（例えば、アイコン、色付け、網掛け等）を示すようにしても良い。
【００４３】
制御部１０１は、検索結果の表示以後に、ユーザがＰＯＩ情報を決定するための入力情報を、ＰＯＩ選択情報をして取得し（Ｓ１８）、取得したＰＯＩ選択情報をセンタ５００に送信して（Ｓ１９）、車載装置１００側の一連の動作を終了する。
【００４４】
センタ５００の管理部５０１は、ＰＯＩ選択情報を取得すると（Ｓ３６）、車載装置１００のＩＤ等とリンクさせて、コンテンツ選択履歴情報記録部５０５にコンテンツ選択履歴情報として記録し（Ｓ３７）、センタ５００側の一連の動作を終了する。センタ５００では、いままでに、同じ車載装置１００によって選択されたコンテンツ選択履歴情報を用いて、検索結果の細項目の並べ順を決定する。例えば、同じ車載装置１００で、「うどん・そば」が選択される頻度が高くなった場合には、次回に検索結果を送信する際には、検索結果の再上段は、「ファミリーレストラン」ではなく（図３の表示画面例２０参照）、「うどん・そば」となるように並び替えを行う。
【００４５】
ところで、Ｓ１４において、センタ５００側への問い合わせを行う価値が無いと判断された場合には、予め車載装置１００のコンテンツ情報記録部１３０に記録されているコンテンツのなかのみから検索が行われ（Ｓ２０）、その検索結果が表示部１０３に表示されることとなる。
【００４６】
図６は、車載装置１００の表示部１０３に表示される他のＰＯＩジャンル検索画面例（２）を示す図である。
【００４７】
図３の表示画面１０では、「決定」キー１２のみを表示し、車載装置側の処理フロー中で、センタ５００に問い合わせを行うか否かを決定した（図２のＳ１４参照）。しかしながら、図６の例では、「決定」キー１２の他に、「センタ検索」キー１３及び「車載内検索」キー１４を設けた。図６における「決定」キー１２は、図３の表示画面１０と同様の機能を有しているが、「センタ検索」キー１３が選択された場合には、ジャンル検索テーブル（図４参照）を参照せずに、必ずセンタ５００に問い合わせを行うように制御されるものとする。また、「車載装置内検索」キー１４が選択された場合にも、ジャンル検索テーブル（図４参照）を参照せずに、必ず車載装置１００側のコンテンツ情報記録部１３０のみを用いて検索を行うように制御されるものとする。いずれも、ユーザのＴＰＯに応じた選択の幅を広げることを可能とするものである。
【産業上の利用可能性】
【００４８】
本発明は、車載装置におけるコンテンツ情報のＰＯＩ情報検索装置として、コンテンツ情報のＰＯＩ情報検索のみ可能な装置として構成されることも可能であるが、ナビゲーション装置、地上波デジタルＴＶ、ＣＤ／ＤＶＤ／ブルーレイディスクプレーヤ等に組み込む形で実施されても良い。
【符号の説明】
【００４９】
１００    車載装置
１０１    制御部
１０３    表示部
１３０    コンテンツ情報記録部
５００    センタ
５０１    管理部
５０３    ユーザプロファイル情報記録部
５０４    コンテンツ情報記録部
５０５    コンテンツ選択履歴記録部
【図１】
0005460158.tif 000002
【図２】
0005460158.tif 000003
【図３】
0005460158.tif 000004
【図４】
0005460158.tif 000005
【図５】
0005460158.tif 000006
【図６】
0005460158.tif 000007